(57)【要約】      （修正有）【課題】液体容器本体内の液体とは全く接触することなく、内容器のみの重量測定によって液量を確認でき、複雑な防水構造なしで、長期使用できる液体容器を提供する。【解決手段】液体を貯蔵する内容器２と、内容器２の胴体を囲む外装体３と、外装体３の下端外周に装着し、内容器２の底部を覆う底体４と、外装体３の上端外周に装着し、内容器２の口元と連通した肩部材５と、肩部材５の上端に着脱自在に装着し、内容器２の口元を開閉する蓋体６と、内容器２内の液体を外部へ吐出する吐出機構７と、内容器２内の液量を表示する液量表示装置８とを備える。液量表示装置８は、底体４の上方に設けた台座２２と、台座２２の上端に設けた支持部材２３と、支持部材２３と内容器２の底部との間に張設した弾性材２４と、底体４と台座２２との間で、電気制御機構２６により制限され、内容器の容量を測定するダイヤフラム型の容量式圧力センサー２５とを備える。【選択図】図２
0003156338.tif 000002
【実用新案登録請求の範囲】
【請求項１】
液体を貯蔵する内容器(２)と、内容器(２)の胴体を囲む外装体(３)と、外装体(３)の下端外周に装着し、内容器(２)の底部を覆う底体(４)と、外装体(３)の上端外周に装着し、内容器(２)の口元と連通した肩部材(５)と、肩部材(５)の上端に着脱自在に装着し、内容器(２)の口元を開閉する蓋体(６)と、内容器(５)内の液体を外部へ吐出する吐出機構(７)と、内容器(２)内の液量を表示する液量表示装置(８)とを備えた液体容器(１)であって、上記液量表示装置(８)は、底体(４)の上方に設けた上下摺動自在の台座(２２)と、台座(２２)の上端に設け内容器の底部を支える支持部材(２３)と、支持部材(２３)と内容器(２)の底部との間に張設した弾性材(２４)と、底体(４)と台座(２２)との間でほぼ中央に設け、内容器の容量を測定するダイヤフラム型の容量式圧力センサー(２５)と、容量式圧力センサー(２５)を制御する電気制御機構(２６)とを備え、内容器(２)内の液量に応じて変化する内容器重量を液体の入った内容器(２)のみの測定にて測定し、この重量測定を液量測定に変換して、液量表示を行うことを特徴とした液体容器。
【考案の詳細な説明】
【技術分野】
【０００１】
本考案は、液量表示装置を備えた液体容器に関するものである。
【背景技術】
【０００２】
従来、液量表示装置を備えた液体容器としては、内容器の液体を外部へ吐出する吐出機構で外部から目視できる揚水パイプ兼用の液量表示パイプを設け、この液量表示パイプに示された水位によって、液体容器本体内の液量を確認する構造のものの他、液体容器本体内の液体と直接接触して電気的に変化する電流の変化を液量に変換して測定する電流測定構造のものや、水圧の変化を液量に変換し液量を確認する構造の電動ポット、特に水圧をダイヤフラム式の圧力センサーにて測定してその水圧の変化を液量に変換した構造の液体容器が特開２００２−４５６号として存在する。
【先行技術文献】
【特許文献】
【０００３】
【特許文献１】特開２００２−４５６号公報
【考案の概要】
【考案が解決しようとする課題】
【０００４】
ところが、この種の液体容器では、水圧を測定する圧力センサーの感知面を液体容器本体内の液体と直接接触しなければ、測定できないために、液体内に入る圧力センサーやその配線等に対して防水構造が非常に複雑で難しく、長期使用に対しても維持できないという問題点があった。
【課題を解決するための手段】
【０００５】
本考案は、液体を貯蔵する内容器２と、内容器２の胴体を囲む外装体３と、外装体３の下端外周に装着し、内容器２の底部を覆う底体４と、外装体３の上端外周に装着し、内容器２の口元と連通した肩部材５と、肩部材５の上端に着脱自在に装着し、内容器２の口元を開閉する蓋体６と、内容器５内の液体を外部へ吐出する吐出機構７と、内容器２内の液量を表示する液量表示装置８とを備えた液体容器１であって、上記液量表示装置８は、底体４の上方に設けた上下摺動自在の台座２２と、台座２２の上端に設け内容器の底部を支える支持部材２３と、支持部材２３と内容器２の底部との間に張設した弾性材２４と、底体４と台座２２との間でほぼ中央に設け、内容器の容量を測定するダイヤフラム型の容量式圧力センサー２５と、容量式圧力センサー２５を制御する電気制御機構２６とを備え、内容器２内の液量に応じて変化する内容器重量を液体の入った内容器２のみの測定にて測定し、この重量測定を液量測定に変換して、液量表示を行う構成としている。
【考案の効果】
【０００６】
本考案は、従来の問題点を解決したものであって、液体容器本体内の液体とは全く接触することなく、しかも外装体に囲まれた内容器のみの重量測定によって、液体容器本体内の液量を確認でき、複雑な防水構造の必要もなく、長期使用に対しても確実に維持できる液体容器を提供するにある。
【図面の簡単な説明】
【０００７】
【図１】本考案実施例の斜視図。
【図２】本考案実施例の縦断面概略説明図。
【考案を実施するための形態】
【０００８】
本考案にかかる液体容器としては、湯沸かしを行わないポットや湯沸かし、保温を行う電気ポット等が考えられるが、本考案では湯沸かし、保温を行い、吐出用に電動ポンプをを備えた電動式の電気ポットの図面に基づき説明する。
【０００９】
液体容器１である電気ポットは、液体を貯蔵する内容器２と、内容器２の胴体を囲む外装体３と、外装体３の下端外周に装着し、内容器の底部を覆う底体４と、外装体３の上端外周に装着し、内容器の口元と連通した肩部材５と、肩部材５の上端に着脱自在に装着し、内容器の口元を開閉する蓋体６と、内容器２の液体を外部へ吐出する吐出機構７と、内容器２内の液量を表示する液量表示装置８とから構成されている。
【００１０】
内容器２は、ステンレス等の金属材料にて有底筒状に形成されており、口元に外側へ拡がった鍔部を設けている。
この内容器２の底壁２ｂ前方側には、図２に示すように、後述の電動ポンプ１８と連通する流路管１０が配設されている。この内容器２の底壁２ｂには、中央に内容器内の液体温度を感知するサーモスタット１５と、このサーモスタット１５の周りに内容器内の液体を加温するヒータ１６とが配設されている。
【００１１】
外装体３は、合成樹脂材料にて内容器２と適宜の間隔を隔てて内容器２の胴体周りを囲んでいる。
底体４は、外装体３の下端外周に装着する環状体１１と、この環状体１１の中央を覆う底板１２とからなっている。
【００１２】
肩部材５は、外装体３の上端外周に装着し、内容器２の口元を下側から支える環状の受部とこの受部の前方で内部空洞の嘴部９とからなっている。この内容器２の口元を下側から支える受部と内容器２の鍔部との間には、弾性材料のシールパッキン１３が密に張設されている。このシールパッキン１３は、内容器２のわずかな上下動に際しても密にシールできるような弾性を備えている。
【００１３】
肩部材５の嘴部９は、図２に示すように、内部空洞でその空洞内に後述の吐出機構７の吐出パイプ２０を設けており、その上面にはこの電動式の電気ポットの吐出用、湯沸かし用等のスイッチやランプ等が配設された表示操作板１４を設けている。
１７は、ハンドルである。
【００１４】
蓋体６は、肩部材５の後部に枢支されて、肩部材の上端に着脱自在とされ、内容器２の口元を開閉している。
内容器２の液体を外部へ吐出する吐出機構７は、図２に示すように、内容器２の流路管１０と連通した電動ポンプ１８と、この電動ポンプ１８と連通し、前方の内容器２と外装体３との間の隙間に立設した揚水パイプ１９と、肩部材５の嘴部９内にあって、揚水パイプ１９と連通し、外部へ吐出する吐出パイプ２０とからなっている。
【００１５】
２１は、電動ポンプ１８と揚水パイプ１９との間にあって、内容器２のわずかな上下動に伴って伸縮する弾性パイプである。この吐出機構７は、嘴部９上面の表示操作板１４の給湯スイッチの操作により電動ポンプ１８を稼働させて内容器２の液体を吐出パイプ２０にて吐出するようにしている。
【００１６】
液量表示装置８は、底板１２の上方に設けた上下摺動自在の台座２２と、台座２２の上端に設け内容器２の底壁２ｂを支える支持部材２３と、支持部材２３と内容器２の底壁２ｂとの間に張設した環状の弾性材２４と、底板１２と台座２２との間でほぼ中央に設け、内容器の容量を測定するダイヤフラム型の容量式圧力センサー２５と、容量式圧力センサー２５等を制御する電気制御機構２６とからなっている。
【００１７】
この容量式圧力センサー２５では、内容器２内の液体の微妙な重量変化にも感知して確実に測定することができるために、液量表示装置８は、支持部材２３に支えられた内容器２の重量が上下摺動自在な台座２２に伝えられ、更にこの台座２２下面に接した容量式圧力センサー２５にて測定されるにもかかわらず、確実に液量測定することができる。
【００１８】
支持部材２３は、円筒状であってもよいが配線の為の透孔が必要であるし、間隔を隔てて複数立設して円筒状に近い形状にすれば、配線の為の透孔を必要とすることもない。このダイヤフラム型の容量式圧力センサー２５は、連続して測定するのではなく、ランダムに測定すればよい。この電気制御機構２６は、容量式圧力センサー２５を制御するだけでなく、サーモスタット１５やヒータ１６とも連なって内容器内の液体を温度管理している。
【００１９】
この液量表示装置８は、内容器内の液量の増減に応じて変化する内容器重量を容量式圧力センサー２５にて測定し、この重量測定結果を液量測定結果に変換して、この液量測定結果を液量表示として、図１に示すように、ランプ２７，２７の点灯位置にて表示するようにしている。この液量表示装置８は、液体容器１全体の重量を測定するのではなく、液体を含む内容器のみの測定にて、表示しようとするものであるので、より液量を正確なものとすることができる。
【００２０】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２１】
１…液体容器
２…内容器
２ｂ…底壁
３…外装体
４…底体
５…肩部材
６…蓋体
７…吐出機構
８…液量表示装置
９…嘴部
１０…流路管
１１…環状体
１２…底板
１３…シールパッキン
１４…表示操作板
１５…サーモスタット
１６…ヒータ
１７…ハンドル
１８…電動ポンプ
１９…揚水パイプ
２０…吐出パイプ
２１…弾性パイプ
２２…台座
２３…支持部材
２４…弾性材
２５…容量式圧力センサー
２６…電気制御機構
２７、２７…ランプ
【図１】
0003156338.tif 000003
【図２】
0003156338.tif 000004